(57)【要約】【課題】フィルターの清掃時、フィルター、防虫ネットはもとより、ダクト内部まで清掃が可能とすることを目的とする。【解決手段】外郭の内部にフィルター２を着脱自在に配設して内部空間を仕切るフィルターケースを備え、フィルターケースは、仕切られた一方の空間上方の天面部に、天井裏に設置される換気装置５の吸気口６に接続された室内側ダクト７を連通接続する吐出側接続部８を設け、もう一方の仕切られた空間後方の背面部に吸込側接続部４を設け、吸込側接続部４を壁部１０に挿着され室外に連通した室外側ダクト３の室内側端部に連通接続し、背面部を室内側壁面１０ａに当接して、取り付けられることにより、フィルター２の清掃とともに、室外側ダクト３内部の清掃も併せて容易にできる。【選択図】図１
2010249370.tif 000002
【特許請求の範囲】
【請求項１】
箱状の外郭の内部に設けたフィルタ−固定部にフィルターを着脱自在に配設して内部空間を仕切り、室外空気が前記内部空間を通して室内へ給気され前記フィルターを通過する際に空気清浄されるフィルターケースを備え、前記フィルターケースは、前記フィルターによって仕切られた一方の空間上方の天面部に、天井裏に設置され室内に給気する換気装置の吸気口に接続された室内側ダクトを連通接続する吐出側接続部を設けるとともに、前記フィルターによって仕切られたもう一方の空間後方の背面部に吸込側接続部を設け、前記吸込側接続部を建築物の壁部に挿着され室外に連通した室外側ダクトの室内側端部に連通接続し、前記背面部を室内側壁面に当接して、取り付けられることを特徴とする給気フィルター装置。
【請求項２】
前記フィルタ−固定部は、前記外郭の内壁両側面に当接する嵌合溝部を備え、前記嵌合溝部に種類の異なるフィルターを選択自在に嵌合して装着することを特徴とする請求項１記載の給気フィルター装置。
【請求項３】
前記フィルターは、前記フィルター固定部を備えたフィルター固定具に着脱自在に固定され、前記フィルター固定具は前記外郭に出し入れ自在に設けられることを特徴とする請求項１または２記載の給気フィルター装置。
【請求項４】
前記フィルターを水平に配設したことを特徴とする請求項１〜３のいずれかに記載の給気フィルター装置。
【請求項５】
前記フィルターを垂直に配設したことを特徴とする請求項３記載の給気フィルター装置。
【請求項６】
前記フィルターを、給気流に対して傾斜するように配設したことを特徴とする請求項１〜３のいずれかに記載の給気フィルター装置。
【請求項７】
前記フィルターの上流側に防虫ネットを設けたことを特徴とする請求項１〜６のいずれかに記載の給気フィルター装置。
【請求項８】
前記吸込側接続部は、室外側を低く傾斜させた前記室外側ダクトに接続されるとともに、その内周面下端部が前記外郭の内壁下面より下方に位置する構成としたことを特徴とする請求項１記載の給気フィルター装置。
【発明の詳細な説明】
【技術分野】
【０００１】
本発明は、換気装置により、室外空気を室内へ給気する際の空気清浄を行う給気フィルター装置に関するものである。
【背景技術】
【０００２】
従来より、この種の給気フィルター装置として、屋外に開口する屋外開口端から外気を、ダクトを介して換気装置に吸込ませ、室内に臨む室内吹出口から室内へ給気する給気系を有し、その換気装置は建物の天井裏の空間に設置させて構成される換気システムが知られている（例えば、特許文献１参照）。
【０００３】
特許文献１に記載の換気システムにおけるフィルター装置は、屋外開口端と換気装置の間の外気の給気経路の一部を、ボックス構造体内に構成して室内の手が届く位の位置に設け、ボックス構造体の給気経路を横断するように、フィルター枠を保持させた、給気を濾過するエアーフィルターを着脱可能に設けている。
【０００４】
フィルター装置の外郭を構成するボックス構造体は、屋外開口端に通じるダクトを接続する接続フランジと、換気装置の吸込口に通じるダクトを接続する接続フランジを天部に左右対称位置に並んで備え、接続されたダクトは天井裏へと通じ、屋外開口端、および、換気装置の吸込口へと連通している。
【先行技術文献】
【特許文献】
【０００５】
【特許文献１】特開２００７−１８７４０８号公報
【発明の概要】
【発明が解決しようとする課題】
【０００６】
このような従来の給気フィルター装置では、エアフィルターの清掃時、エアフィルターに加えて防虫ネットまでは掃除できても、ダクト内部まで掃除できないという課題がある。
【０００７】
本発明は、このような従来の課題を解決するものであり、エアフィルターの清掃時、エアフィルター、防虫ネットはもとより、ダクト内部まで清掃が可能である給気フィルター装置を提供することを目的とする。
【課題を解決するための手段】
【０００８】
本発明の給気フィルター装置は、上記目的を達成するために、箱状の外郭の内部に設けたフィルタ−固定部にフィルターを着脱自在に配設して内部空間を仕切り、室外空気が前記内部空間を通して室内へ給気され前記フィルターを通過する際に空気清浄されるフィルターケースを備え、前記フィルターケースは、前記フィルターによって仕切られた一方の空間上方の天面部に、天井裏に設置され室内に給気する換気装置の吸気口に接続された室内側ダクトを連通接続する吐出側接続部を設けるとともに、前記フィルターによって仕切られたもう一方の空間後方の背面部に吸込側接続部を設け、前記吸込側接続部を建築物の壁部に挿着され室外に連通した室外側ダクトの室内側端部に連通接続し、前記背面部を前記室内側壁面に当接して、取り付けられるものである。
【０００９】
また、他の手段は、前記フィルター固定部は、前記外郭の内壁両側面に当接する嵌合溝部を備え、前記嵌合溝部に種類の異なるフィルターを選択自在に嵌合して装着するものである。
【００１０】
また、他の手段は、前記フィルターは、前記フィルター固定部を備えたフィルター固定具に着脱自在に固定され、前記フィルター固定具は前記外郭に出し入れ自在に設けられるものである。
【００１１】
また、他の手段は、前記フィルターを水平に配設したものである。
【００１２】
また、他の手段は、前記フィルターを垂直に配設したものである。
【００１３】
また、他の手段は、前記フィルターを、給気流に対して傾斜するように配設したものである。
【００１４】
また、他の手段は、前記フィルターの上流側に防虫ネットを設けたものである。
【００１５】
また、他の手段は、前記吸込側接続部は、室外側を低く傾斜させた前記室外側ダクトに接続されるとともに、その内周面下端部が前記外郭の内壁下面より下方に位置する構成としたものである。
【発明の効果】
【００１６】
本発明によれば、箱状の外郭の内部に設けたフィルタ−固定部にフィルターを着脱自在に配設して内部空間を仕切り、室外空気が内部空間を通して室内へ給気されフィルターを通過する際に空気清浄されるフィルターケースを備え、フィルターケースは、フィルターによって仕切られた一方の空間上方の天面部に、天井裏に設置され室内に給気する換気装置の吸気口に接続された室内側ダクトを連通接続する吐出側接続部を設けるとともに、フィルターによって仕切られたもう一方の空間後方の背面部に吸込側接続部を設け、吸込側接続部を建築物の壁部に挿着され室外に連通した室外側ダクトの室内側端部に連通接続し、背面部を室内側壁面に当接して、取り付けられることにより、フィルターの清掃とともに、室外側ダクトの内部の清掃も併せて容易にできるという効果のある給気フィルター装置を提供することができる。
【００１７】
また、フィルター固定部は、外郭の内壁両側面に当接する嵌合溝部を備え、この嵌合溝部に種類の異なるフィルターを選択自在に嵌合して装着することにより、室外環境に対応してフィルターを選択することが容易にできる。
【００１８】
また、フィルターは、フィルター固定部を備えたフィルター固定具に着脱自在に固定され、フィルター固定具は外郭に出し入れ自在に設けられることにより、フィルターの着脱がさらに容易になり、フィルターの清掃または交換の作業性が向上する。
【００１９】
また、フィルターを水平に配設したことにより、フィルターへの塵埃等の付着を抑えるとともに、塵埃等をフィルターユニットに溜めていくことができる。
【００２０】
また、フィルターを垂直に配設したことにより、フィルターユニットの室内側への厚みを抑えたうえで、フィルターの塵埃等捕集効果を高めるとともに、フィルターによる風量低下を抑えることができる。
【００２１】
また、フィルターを、給気流に対して傾斜するように配設したことにより、フィルターケースの室内側への厚みを抑えたうえで、フィルターの塵埃等捕集効果を確保するとともに、フィルターによる風量低下を抑えることができる。
【００２２】
また、フィルターの上流側に防虫ネットを設けたことにより、大きな塵埃や虫は防虫ネットで捕集し、フィルターの寿命を延ばすことができる。
【００２３】
また、吸込側接続部は、室外側を低く傾斜させた室外側ダクトに接続されるとともに、その内周面下端部が外郭の内壁下面より下方に位置する構成としたことにより、外郭内に付着する水を滞留させることなく、室外へ排出できる。
【図面の簡単な説明】
【００２４】
【図１】本発明の実施の形態１の給気フィルター装置の設置構成図
【図２】同給気フィルター装置の前面側からの斜視図
【図３】同給気フィルター装置の背面側からの斜視図
【図４】同給気フィルター装置の内部構造を示す側面断面図
【図５】本発明の実施の形態２の給気フィルター装置におけるフィルター取り出し時の斜視図
【図６】本発明の実施の形態３の給気フィルター装置の内部構造を示す側面断面図
【発明を実施するための形態】
【００２５】
本発明の請求項１記載の給気フィルター装置は、箱状の外郭の内部に設けたフィルタ−固定部にフィルターを着脱自在に配設して内部空間を仕切り、室外空気が前記内部空間を通して室内へ給気され前記フィルターを通過する際に空気清浄されるフィルターケースを備え、前記フィルターケースは、前記フィルターによって仕切られた一方の空間上方の天面部に、天井裏に設置され室内に給気する換気装置の吸気口に接続された室内側ダクトを連通接続する吐出側接続部を設けるとともに、前記フィルターによって仕切られたもう一方の空間後方の背面部に吸込側接続部を設け、前記吸込側接続部を建築物の壁部に挿着され室外に連通した室外側ダクトの室内側端部に連通接続し、前記背面部を前記室内側壁面に当接して、取り付けられるものであり、フィルターを外郭から取り外すと、壁部に挿着した室外側ダクトの内部がまっすぐな状態で室内に臨み、室外ダクトの清掃を容易に行うことができるという作用を有する。
【００２６】
また、請求項２記載の給気フィルター装置は、前記フィルター固定部は、前記外郭の内壁両側面に当接する嵌合溝部を備え、前記嵌合溝部に種類の異なるフィルターを選択自在に嵌合して装着するものであり、室外環境に適したフィルターの種類を選択し、容易にフィルターユニットに装着できる。
【００２７】
また、請求項３記載の給気フィルター装置は、前記フィルターは、前記フィルター固定部を備えたフィルター固定具に着脱自在に固定され、前記フィルター固定具は前記外郭に出し入れ自在に設けられるものであり、フィルター固定具を外郭から外へ取り出し、外郭外でフィルターの着脱ができるようになる。
【００２８】
また、請求項４記載の給気フィルター装置は、前記フィルターを水平に配設したものであり、給気流がフィルターの下面側から上面側へと流れ、塵埃等がフィルターの下面側に付着するとともに外郭の下方へ落下して溜まっていく。
【００２９】
また、請求項５記載の給気フィルター装置は、前記フィルターを垂直に配設したものであり、フィルターケースの室内側への厚みを抑えて、フィルターの有効面積を増すことができる。
【００３０】
また、請求項６記載の給気フィルター装置は、前記フィルターを、給気流に対して傾斜するように配設したものであり、フィルターケースの室内側への厚みを抑えて、フィルターの有効面積を確保できる。
【００３１】
また、請求項７記載の給気フィルター装置は、前記フィルターの上流側に防虫ネットを設けたものであり、給気流がフィルターを通過する前に、防虫ネットで大きな塵埃や虫を捕集することができる。
【００３２】
また、請求項８記載の給気フィルター装置は、前記吸込側接続部は、室外側を低く傾斜させた前記室外側ダクトに接続されるとともに、その内周面下端部が前記外郭の内壁下面より下方に位置する構成としたものであり、室外空気の給気により外郭内に付着する水は、室外側ダクトから室外へスムーズに流れ落ちていく。
【００３３】
以下、本発明の実施の形態について、図１〜図６を参照しながら説明する。
【００３４】
（実施の形態１）
図１に示すように、本発明の実施の形態１の給気フィルター装置１は、室外空気の清浄を目的としたフィルター２を内蔵しており、室外空気を室内へ給気する際、室外空気は、まず、建築物の壁部１０にまっすぐ挿着され室外に連通した室外側ダクト３を通り、後述する室外側ダクト３と連通接続する吸込側接続部４から給気フィルター装置１内に入り、フィルター２を通過する。
【００３５】
そして、天井裏に設置され室内に給気する送風装置（図示せず）を有する換気装置５の吸気口６に接続された室内側ダクト７と、給気フィルター装置１に設けられた後述する吐出側接続部８とが連通接続されていて、フィルター２を通過した室外空気を換気装置５へと送る。したがって、換気装置５へ送られた室外空気は給気フィルター装置１を経由することによって清浄され、換気装置５から室内給気ダクト９によって、各居室へと分配されて室内へ給気される。
【００３６】
給気フィルター装置１は、室内側壁面１０ａに固定され、図２および図３に示すように、箱状の外郭１１の内部に設けたフィルタ−固定部１２にフィルター２を着脱自在に配設して内部空間を仕切り、室外空気が給気フィルター装置１の内部空間を通して室内へ給気されフィルター２を通過する際に、空気清浄されるフィルターケース１３を備えている。
【００３７】
フィルターケース１３は、フィルター２によって仕切られた一方の空間上方の天面部１４に、前記吐出側接続部８を設けるとともに、フィルター２によって仕切られたもう一方の空間後方の背面部１５に前記吸込側接続部４を設け、吸込側接続部４を室外側ダクト３の室内側端部に連通接続している。
【００３８】
そして、フィルターケース１３は、背面部１５を室内側壁面１０ａに当接させて室内側で手の届く位の位置に取り付けられている。
【００３９】
フィルター２の交換やフィルターケース１３内部の清掃を行う際は、フィルターケース１３の前面に設けたフロントパネル１６開けて行う。
【００４０】
また、フィルターケース１３の内周面には発泡スチロールからなる壁体１７が配設され、さらに、フロントパネル１６のフィルターケース１３内部と接する面にも発泡スチロール等からなる断熱構造を施すことによって、室外空気が室内へ供給される際の給気フィルター装置１の風路は断熱構造となり、室外空気を室内へ給気する際の室内との温度差による結露の発生を防ぐことができる構成となっている。
【００４１】
上記構成の給気フィルター装置１において、フィルター２を清掃する場合に、フロントパネル１６を開け、フィルター２を外郭１１から取り外すと、壁部１０に挿着した室外側ダクト３の内部がまっすぐな状態で室内に臨むため、フィルター２の清掃とともに、室外側ダクト３の内部の清掃も併せて容易に行うことができる。
【００４２】
さらに詳述すると、フィルター２は外郭１１内に水平に配設されており、室外空気の給気流がフィルター２の下面側から上面側へと流れ、塵埃等がフィルター２の下面側に付着するとともに、フィルターケース１３内部の下方へ落下して溜まっていく。そのため、フィルター２への塵埃等の付着を抑えるとともに、塵埃等をフィルターケース１３下面に溜めていくことができる。
【００４３】
また、フィルター固定部１２は、外郭１１の内壁両側面に当接する嵌合溝部１８を形成しており、フィルター２を取替える際、フィルター２を嵌合溝部１８に沿わせて水平方向へ抜き差しすることによってフィルター交換を行う構造とし、さらに、フィルター２の種類違いにより、フィルター厚みやフィルター幅寸法が異なる場合でも外郭１１内に固定が可能なように、あらかじめ、種類の異なるフィルター２の寸法に合わせた複数の嵌合溝部１８を形成している。
【００４４】
これにより、フィルター２を取り替えること、あるいは、室外環境に適したフィルター２の種類を選択して装着することが、容易に行えることとなる。
【００４５】
また、図４に示すように、フィルター２の上流側に、フィルター２よりも目が粗く、粗塵や小さな虫などの侵入を防ぐための防虫ネット１９を設け、室外空気がフィルター２を通過する前に防虫ネット１９を通るようにすることによって、防虫ネット１９で大きな塵埃や虫を捕集することができるため、フィルター２の寿命を延ばすことができる。
【００４６】
さらに、防虫ネット１９が外郭１１に対し、水平に固定されているため、捕集した大きな塵埃や虫は外郭１１下部へと落下し、防虫ネット１９の目詰まりが生じにくくなるため、集塵効率の悪化を防ぐことができる。
【００４７】
また、吸込側接続部４は、室外側を低く傾斜させて施工した室外側ダクト３（図１参照）に接続できるように、図４に示すように、室外に向かって先端側を低くさせて傾斜しているとともに、その内周面における室内側下端部が外郭１１の内壁下面２０より下方に位置する構成とすることによって、室外空気の給気により、フィルターケース１３の外郭１１内に水が浸入、もしくは付着しても、外郭１１の内壁下面２０から下方へと流れていき、室外側を低く傾斜させた室外側ダクト３から室外へスムーズに流れ落ちていくこととなり、外郭１１内に付着する水を滞留させることなく、室外へ排出することができる。
【００４８】
（実施の形態２）
本発明の実施の形態２の給気フィルター装置１Ａは、上記実施の形態１の給気フィルター装置１に対し、図５に示すように、フィルター２が、フィルター固定部１２を備えたフィルター固定具２２に、垂直方向に着脱自在に固定され、フィルター固定具２２は、フィルターケース１３Ａの外郭１１Ａに出し入れ自在に設けられている点に特徴がある。
【００４９】
これにより、水平方向へフィルター２を配設するのに対して、フィルター２の面積を大きくした場合でも、フィルターケース１３Ａの室内側への厚み２１を抑えて、フィルター２の有効面積を増すことができ、フィルター２の塵埃等捕集効果を高めるとともに、フィルター２による風量低下を抑えることができる。
【００５０】
また、フィルター固定具２２を外郭１１Ａから外へ取り出し、外郭１１Ａ外でフィルター２の着脱ができるようになるため、フィルター２の着脱がさらに容易になり、フィルター２の清掃または交換の作業性が向上する。
【００５１】
（実施の形態３）
本発明の実施の形態３の給気フィルター装置１Ｂは、上記実施の形態１の給気フィルター装置１に対し、図６に示すように、フィルター２をフィルターケース１３Ｂの外郭１１Ｂに、給気流に対して傾斜するように配設している点が異なる。
【００５２】
これにより、フィルターケース１３Ｂの室内側への厚み２１を抑えて、フィルター２の有効面積を確保でき、フィルター２の塵埃等捕集効果を確保するとともに、フィルター２による風量低下を抑えることが可能となる。
【産業上の利用可能性】
【００５３】
本発明に係る給気フィルター装置は、フィルターを外郭の内部に配設し、内部の風路空間がフィルターによって仕切られたフィルターケースが、背面側の仕切られた風路空間を室外空気の給気側として、建築物の壁部に挿着した室外側ダクトに連通接続し、背面部を室内側壁面に当接して、固定される構成により、フィルターの清掃時に、室外側ダクト内部の清掃も容易にでき、室外空気を室内へ給気する換気装置において、広く適用できる。
【符号の説明】
【００５４】
１      給気フィルター装置
１Ａ    給気フィルター装置
１Ｂ    給気フィルター装置
２      フィルター
３      室外側ダクト
４      吸込側接続部
５      換気装置
６      吸気口
７      室内側ダクト
８      吐出側接続部
１０    壁部
１０ａ  室内側壁面
１１    外郭
１１Ａ  外郭
１２    フィルター固定部
１３    フィルターケース
１４    天面部
１５    背面部
１８    嵌合溝部
１９    防虫ネット
２０    内壁下面
２２    フィルター固定具
【図１】
2010249370.tif 000003
【図２】
2010249370.tif 000004
【図３】
2010249370.tif 000005
【図４】
2010249370.tif 000006
【図５】
2010249370.tif 000007
【図６】
2010249370.tif 000008